(57)【要約】      （修正有）【課題】大型の被検体であっても短時間且つその場で容易に測定することが可能な非破壊方式の移動式放射能測定装置を提供する。【解決手段】  搬送車両（運送用トラック１１）上に、上方開口部２７を有し、内部にシンチレーション検出器１４を収納すると共に、上方に被検体２１を、上方開口部を被覆するように載置しうる金属製放射能遮蔽箱１３と、シンチレーション検出器１４が被検体２１の放射能濃度を測定しうるように被覆する蓋部２５とを有する放射能測定部２８を備えたことを特徴とする。【選択図】図１
0003186377.tif 000002
【実用新案登録請求の範囲】
【請求項１】
搬送車両上に、上方開口部を有し、内部にシンチレーション検出器を収納すると共に、上方に被検体を、上記上方開口部を被覆するように載置しうる金属製放射能遮蔽箱と、上記シンチレーション検出器が上記被検体の放射能濃度を測定しうるように被覆する蓋部とを有する放射能測定部を備えたことを特徴とする移動式放射能測定装置。
【請求項２】
前記シンチレーション検出器のシンチレータは、ヨウ化ナトリウム（ＮａＩ）、臭化ランタン（ＬａＢｒ）又は臭化セシウム（ＣｅＢｒ）であることを特徴とする請求項１に記載の移動式放射能測定装置。
【請求項３】
前記被検体は、牧草、コーン茎、稲藁、家畜用飼料、穀物、瓦礫又は除染廃棄物であることを特徴とする請求項１に記載の移動式放射能測定装置。
【請求項４】
前記被検体の厚さ方向の寸法は、０．５ｍ〜２．０ｍであることを特徴とする請求項１に記載の移動式放射能測定装置。
【請求項５】
前記被検体は、可搬型サイロ又はフレキシブルコンテナバッグに収容されていることを特徴とする請求項１に記載の移動式放射能測定装置。
【請求項６】
前記蓋部は、平面方形状の枠部と、前記枠部の略中央に設けられ、平面方形状の開口部とからなり、前記金属製放射能遮蔽箱の前記上方開口部に載置された場合には、前記開口部は、前記金属製放射能遮蔽箱の内部に載置された前記シンチレーション検出器の真上となる位置に設けられていることを特徴とする請求項１に記載の移動式放射能測定装置。
【考案の詳細な説明】
【技術分野】
【０００１】
本考案は、移動式放射能測定装置に関するものである。
【背景技術】
【０００２】
２０１１年３月１１日に我が国において発生した東北地方太平洋沖地震では、地震発生から約１時間後に、遡上高１４〜１５ｍの津波に東京電力福島第一原子力発電所が襲われ、発電所では全電源を喪失して原子炉を冷却できなくなり、１号機、２号機及び３号機で炉心溶融（メルトダウン）が発生し、水素爆発により原子炉建屋が吹き飛び、大量の放射性物質の漏洩を伴う重大な原子力事故に発展した。
【０００３】
震災から数年が経過した現在においても、空気中に飛散した放射性物質の除染作業が追いつかずに土壌等に残留しており、被災地だけでなく周辺地域でも深刻な問題となっている。
【０００４】
土壌に残留した放射性物質は、例えば、家畜用飼料及び畜産物を経て経口摂取されるため、家畜用飼料の段階での放射性物質の残留濃度を把握する必要があり、家畜用飼料の残留濃度を測定することが可能な放射線測定装置の需要が高まっている。
【０００５】
一般的に、家畜用飼料は、牧草等を円柱状に堅く巻きながら一定の大きさまで成型し、紐やネット等を巻き付けて梱包されたロールベールに、伸縮性フィルムを重ね合わせるように隙間なく巻き付け、外気から遮断して所定期間発酵させるサイレージ調製を行って保管されている。
【０００６】
しかしながら、サイレージ調製済みの家畜用飼料（飼料ロール）は、寸法がΦ１００〜１６５×８０〜１２０程度で、重量が３００〜１６００ｋｇ程度であり、従来の移動式放射能測定装置（例えば、特許文献１参照）では測定することができないという問題があった。
【０００７】
また、飼料ロールの密閉を解き一部を抜き取ってサンプル測定を行うことも可能であるが、このような破壊方式の検査方法では、測定済みの飼料ロールを利用できなくなってしまうため、非破壊方式の検査装置が切望されていた。
【特許文献１】特許第３７０８４６４号公報
【考案の開示】
【考案が解決しようとする課題】
【０００８】
本考案は、上記従来技術の有する問題点に鑑みなされたものであり、その目的とするところは、大型の被検体であっても短時間且つその場で容易に測定することが可能な非破壊方式の移動式放射能測定装置を提供することにある。
【課題を解決するための手段】
【０００９】
本考案の上記課題は、下記の手段によって達成される。
【００１０】
請求項１に記載の考案に係る移動式放射能測定装置は、搬送車両上に、上方開口部を有し、内部にシンチレーション検出器を収納すると共に、上方に被検体を、上記上方開口部を被覆するように載置しうる金属製放射能遮蔽箱と、上記シンチレーション検出器が上記被検体の放射能濃度を測定しうるように被覆する蓋部とを有する放射能測定部を備えたことを特徴とする。
【００１１】
従って、本考案に係る移動式放射能測定装置は、搬送車両上に、上方開口部を有し、内部にシンチレーション検出器を収納すると共に、上方に被検体を、上記上方開口部を被覆するように載置しうる金属製放射能遮蔽箱と、上記シンチレーション検出器が上記被検体の放射能濃度を測定しうるように被覆する蓋部とを有する放射能測定部を備えたことにより、前記金属製放射能遮蔽箱の内部に放射性物質等の測定精度に影響を与える物質等の混入を容易に防ぐことができる。
【００１２】
請求項２に記載の考案に係る移動式放射能測定装置は、前記シンチレーション検出器のシンチレータは、ヨウ化ナトリウム（ＮａＩ）、臭化ランタン（ＬａＢｒ）又は臭化セシウム（ＣｅＢｒ）であることを特徴とする。
【００１３】
従って、本考案に係る移動式放射能測定装置は、前記シンチレーション検出器のシンチレータとして、ヨウ化ナトリウム（ＮａＩ）、臭化ランタン（ＬａＢｒ）又は臭化セシウム（ＣｅＢｒ）を用いることにより、放射性物質から放出されるγ線を選択的に検出することができる。
【００１４】
請求項３に記載の考案に係る移動式放射能測定装置は、前記被検体は、牧草、コーン茎、稲藁、家畜用飼料、穀物、瓦礫又は除染廃棄物であることを特徴とする。
【００１５】
従って、本考案に係る移動式放射能測定装置は、牧草、コーン茎、稲藁、家畜用飼料、穀物、瓦礫、除染廃棄物等の被検体の放射能濃度を測定することができる。
【００１６】
請求項４に記載の考案に係る移動式放射能測定装置は、前記被検体の厚さ方向の寸法は、０．５ｍ〜２．０ｍであることを特徴とする。
【００１７】
従って、本考案に係る移動式放射能測定装置は、前記被検体の厚さ方向の寸法は、０．５ｍ〜２．０ｍであることにより、前記金属製放射能遮蔽箱の内部を外部から完全に遮断することができる。
【００１８】
請求項５に記載の考案に係る移動式放射能測定装置は、前記被検体は、可搬型サイロ又はフレキシブルコンテナバッグに収容されていることを特徴とする。
【００１９】
従って、本考案に係る移動式放射能測定装置は、前記被検体は、可搬型サイロ又はフレキシブルコンテナバッグに収容されていることにより、大量の前記被検体の放射能濃度を一度で測定することができる。
【００２０】
請求項６に記載の考案にかかる移動式放射能測定器は、前記蓋部は、平面方形状の枠部と、前記枠部の略中央に設けられ、平面方形状の開口部とからなり、前記金属製放射能遮蔽箱の前記上方開口部に載置された場合には、前記開口部は、前記金属製放射能遮蔽箱の内部に載置された前記シンチレーション検出器の真上となる位置に設けられていることを特徴とする。
【００２１】
従って、本考案に係る移動式放射能測定装置は、前記蓋部が、平面方形状の枠部と、前記枠部の略中央に設けられ、平面方形状の開口部とからなり、前記金属製放射能遮蔽箱の前記上方開口部に載置された場合には、前記開口部は、前記金属製放射能遮蔽箱の内部に載置された前記シンチレーション検出器の真上となる位置に設けられていることにより、前記開口部を介して前記被検体の放射能濃度を測定することができる。
【考案の効果】
【００２２】
請求項１に記載の考案にあっては、搬送車両上に、上方開口部を有し、内部にシンチレーション検出器を収納すると共に、上方に被検体を、上記上方開口部を被覆するように載置しうる金属製放射能遮蔽箱と、上記シンチレーション検出器が上記被検体の放射能濃度を測定しうるように被覆する蓋部とを有する放射能測定部を備えたことにより、前記金属製放射能遮蔽箱の内部に放射性物質等の測定精度に影響を与える物質等の混入を容易に防ぐことができるので、簡易な構成で容易に放射性物質の放射能濃度を測定することができる。
【００２３】
その結果、例えば、サイレージ調製済みの家畜用飼料（飼料ロール）のように、寸法がΦ１００〜１６５×８０〜１２０程度で、重量が３００〜１６００ｋｇ程度の大型の被検体であっても容易に測定することができ、また、上記飼料ロールの密閉を解くことなく非破壊方式で測定を行うことができる。
【００２４】
請求項２に記載の考案にあっては、前記シンチレーション検出器のシンチレータとして、ヨウ化ナトリウム（ＮａＩ）、臭化ランタン（ＬａＢｒ）又は臭化セシウム（ＣｅＢｒ）を用いることにより、放射性物質から放出されるγ線を選択的に検出することができるので、特に、前記被検体に含まれる放射性セシウムの放射能濃度を容易に測定することができる。
【００２５】
請求項３に記載の考案にあっては、牧草、コーン茎、稲藁、家畜用飼料、穀物、瓦礫、除染廃棄物等の被検体の放射能濃度を測定することができるので、家畜用飼料や農作物として利用できるか否か、又は瓦礫や除染廃棄物を他所に移動させることが可能か否かを迅速に判断することができる。
【００２６】
請求項４に記載の考案にあっては、前記被検体の厚さ方向の寸法は、０．５ｍ〜２．０ｍであることにより、前記金属製放射能遮蔽箱の内部を外部から完全に遮断することができるので、簡易な構成で放射性物質の放射能濃度を高精度で測定することができる。
【００２７】
請求項５に記載の考案にあっては、前記被検体は、可搬型サイロ又はフレキシブルコンテナバッグに収容されていることにより、大量の前記被検体の放射能濃度を一度で測定することができるので、大型の被検体であっても迅速な測定を実現することができる。
【００２８】
また、本考案においては、前記被検体を可搬型サイロ又はフレキシブルコンテナバッグに収容したままで測定することができるので、従来のようなサンプル測定を行わずに非破壊方式で測定が可能となり、家畜用飼料や農作物を測定後に出荷することができる。
【００２９】
また、本考案においては、被検体の保管場所まで移動式放射能測定装置を移動させることができるので、大型の可搬型サイロ又はフレキシブルコンテナバッグに収容した被検体であっても、保管場所で容易に放射能濃度の測定を行うことができる。
【００３０】
請求項６に記載の考案にあっては、前記蓋部が、平面方形状の枠部と、前記枠部の略中央に設けられ、平面方形状の開口部とからなり、前記金属製放射能遮蔽箱の前記上方開口部に載置された場合には、前記開口部は、前記金属製放射能遮蔽箱の内部に載置された前記シンチレーション検出器の真上となる位置に設けられていることにより、前記開口部を介して前記被検体の放射能濃度を測定することができるので、簡易な構成であっても放射性物質の放射能濃度を高精度で測定することができる。
【図面の簡単な説明】
【００３１】
【図１】本考案に係る移動式放射能測定装置の一実施の形態を示す図である。
【図２】本考案に係る移動式放射能測定装置の一実施の形態を示し、本装置の構成要素の一つであるシンチレーション検出器を示す図である。
【図３】本考案に係る移動式放射能測定装置において被検体として用いる各材料の遮蔽効果を比較するための実験における各部材の配置状態を示す図である。
【図４】図３の実験方法により得られた実験結果を示す図である。
【考案を実施するための最良の形態】
【００３２】
以下、本考案に係る移動式放射能測定装置を実施の形態に基づき、図面を参照して詳細に説明する。なお、本考案の移動式放射能測定装置は、以下の各実施形態に限定されるものではなく、本考案の要旨を逸脱しない範囲内において種々変更を加え得ることは可能である。
【００３３】
まず、本考案に係る移動式放射能測定装置１０の構成について説明する。
【００３４】
図１に示すように、本考案に係る移動式放射能測定装置１０は、運送用トラック１１と、運送用トラック１１の荷台１２上に載置された放射能測定部２８とを備えており、放射能測定部２８は、金属製放射能遮蔽箱１３と、金属製放射能遮蔽箱１３の内部に載置されたシンチレーション検出器１４と、金属製放射能遮蔽箱１３の上方に載置して閉塞する蓋部２５とを備えている。
【００３５】
図１に示すように、金属製放射能遮蔽箱１３は、鉄等の金属板からなり、全体略直方体形状に形成され、底部１５と、底部１５の周囲において上方に延設された側面部１６とを備えており、上方が開放されている。
【００３６】
図２に示すように、シンチレーション検出器１４は、γ線等の電離放射線に照射された場合に光（蛍光）を放つ性質を有する物質であるシンチレータ１７と、シンチレータ１７から放出された蛍光を受けて電気信号（パルス電流）に変換する光電子倍増管１８と、光電子倍増管１８内で電子を安定に増幅するための高電圧電源１９と、光電子倍増管１８により作製されたパルス出力量から電離放射線量を算出するための電子回路２０とを備えている。
【００３７】
本考案に係る移動式放射能測定装置１０において利用されるシンチレータ１７としては、例えば、ヨウ化ナトリウム（ＮａＩ）、臭化ランタン（ＬａＢｒ）、臭化セシウム（ＣｅＢｒ）等が挙げられるが、電離放射線に照射された場合に蛍光を放つ性質を有する物質であれば、上述した物質に限定されずに本装置において適用することができる。
【００３８】
図１に示すように、蓋部２５は、平面方形状の枠部２６と、枠部２６の略中央に設けられ、平面方形状の開口部２７とからなり、開口部２７は、金属製放射能遮蔽箱１３の内部に載置されたシンチレーション検出器１４の真上となる位置に設けられている。
【００３９】
本考案に係る移動式放射能測定装置１０において利用される枠部２６の素材としては、金属製放射能遮蔽箱１３と同様にして、優れた遮蔽効果を有するものであればよく、例えば、鉄等の金属製素材等が好適に利用される。
【００４０】
また、本考案に係る移動式放射能測定装置１０において利用される開口部２７の素材としては、放射性物質を含む塵、埃、泥等からシンチレーション検出器１４を保護すると共に、防水性を有し、さらに遮蔽効果が低い素材であればよく、例えば、ＰＥＴ（ｐｏｌｙｅｔｈｙｌｅｎｅ  ｔｅｒｅｐｈｔｈａｌａｔｅ）等のプラスチック素材等が好適に利用される。
【００４１】
また、蓋部２５は、被検体２１の荷重に耐えられる程度の厚さを有していればよく、本考案に係る移動式放射能測定装置１０における枠部２６の厚さ寸法は２．３ｍｍ、枠部２７の厚さ寸法は５．０ｍｍであるが、各厚さ寸法は上述した値に限定される訳ではなく、顧客の要望や装置種別に応じて適宜変更することが可能である。
【００４２】
なお、本考案に係る移動式放射能測定装置１０においては、遮蔽性を有する枠部２６と、遮蔽効果が低い開口部２７とからなる蓋部２５を備えた構成を例に挙げて説明したが、顧客の要望や装置種別等に合わせて蓋部２５の素材や構成を適宜変更することが可能であり、例えば、遮蔽効果が低い素材のみからなる蓋部２５を備えた構成であってもよい。
【００４３】
次に、本考案に係る移動式放射能測定装置１０の使用方法について説明する。
【００４４】
図１に示すように、本考案に係る移動式放射能測定装置１０の金属製放射能遮蔽箱１３の上方を完全に閉塞するように、蓋部２５を介して被検体２１を載置し、例えば、γ線分析システム（Ｉｎ  Ｓｉｔｕ  Ｏｂｊｅｃｔ  Ｃｏｕｎｔｉｎｇ  Ｓｙｓｔｅｍ）等の所定の方法を用いて被検体２１の放射能濃度を測定する。
【００４５】
本考案において適用可能な被検体２１としては、例えば、牧草、コーン茎、稲藁、家畜用飼料、穀物、瓦礫、土、砂、木材、樹木等の除染廃棄物等が挙げられる。また、本考案においては、これらを可搬型サイロやフレキシブルコンテナバッグ等に収容したまま測定してもよい。さらに、サイレージ調製済み牧草等を可搬型サイロ等に収容して測定しても良い。
【００４６】
また、本考案に係る移動式放射能測定装置１０を用いて被検体２１の放射能濃度の測定を行う場合には、図１に示すように、被検体２１の厚さ方向の寸法Ｌを、０．５ｍ以上にすることが好ましく、０．５ｍ〜２．０ｍにすることが特に好ましい。
【００４７】
被検体２１の厚さ方向の寸法Ｌが上記下限値を下回った場合には、金属製放射能遮蔽箱１３を完全に閉塞できずに、外部の放射性物質の影響を受けて精度の高い測定を行うことができなくなるので好ましくなく、また、上記上限値を上回った場合には、被検体２１の荷重に耐え得る遮蔽手段（本考案における金属製放射能遮蔽箱１３）や移動手段（本考案における運送用トラック１１）を手配することになり、状況に応じて適宜適切な遮蔽手段及び移動手段を選択する必要がある。
【００４８】
また、本考案においては、金属製放射能遮蔽箱１３の放射線の遮蔽率が９０％以上、好ましくは９５％以上になるように、被検体２１の厚さ方向の寸法Ｌに基づき、放射能濃度の測定条件を適宜変更することができる。
【００４９】
なお、上記の被検体２１の厚さ方向の寸法Ｌの範囲内において測定を行った場合の測定時間は、例えば、厚さ方向の寸法Ｌが０．５ｍでは５〜１５秒、１．０ｍでは１０〜３０秒、１．５ｍでは１５〜４５秒、２．０ｍでは２０〜６０秒である。
【実施例】
【００５０】
次に、本考案に係る移動式放射能測定装置１０を、実施例によりさらに詳細に説明するが、本考案はこれに限定されるものではない。
【００５１】
図３に示すように、シンチレーション検出器２２と放射性物質２３（放射性セシウム）との間に遮蔽材２４を設置し、遮蔽材２４として牧草（厚さ方向の寸法１００ｃｍ）及び鉄板（厚さ方向の寸法５ｃｍ）用いて遮蔽効果を測定した結果を図４に示した。なお、遮蔽材２４を設置しない（空気層）状況下でも、比較対象として測定を行った。
【００５２】
図４に示すように、牧草及び鉄板においてγ線の遮蔽効果を有していることが確認できた。なお、本実施例の結果により、牧草の遮蔽率は約９１％であることが確認できたので、シンチレーション検出器の上部を、所定の厚さ方向の寸法を有する牧草等の被検体で被覆し、それ以外の部分を鉄板等の遮蔽材で被覆すれば、十分な精度で放射能濃度の測定が可能であると確認することができた。
【産業上の利用可能性】
【００５３】
本考案に係る移動式放射能測定装置は、簡易な構成で容易に放射性物質の放射能濃度を測定することができ、例えば、サイレージ調製済み飼料ロール等の大型の被検体であっても容易に非破壊方式で測定を行うことができるので、移動式放射能測定装置として極めて有用であることから、産業上の利用可能性を有している。
【符号の説明】
【００５４】
１０・・・移動式放射能測定装置
１１・・・運送用トラック
１２・・・荷台
１３・・・金属製放射能遮蔽箱
１４・・・シンチレーション検出器
１５・・・底部
１６・・・側面部
１７・・・シンチレータ
１８・・・光電子倍増管
１９・・・高電圧電源
２０・・・電子回路
２１・・・被検体
２２・・・シンチレーション検出器
２３・・・放射性物質
２４・・・遮蔽材
２５・・・蓋部
２６・・・枠部
２７・・・開口部
２８・・・放射能測定部
【図１】
0003186377.tif 000003
【図２】
0003186377.tif 000004
【図３】
0003186377.tif 000005
【図４】
0003186377.tif 000006